(57)【特許請求の範囲】
【請求項１】
ラッチボルトを備えたラッチ錠の錠箱に、操作手段の操作力によって回転すると共に、筒状部分から突出する二つの係合腕を有する一つの駆動カムと、該駆動カムの前記係合腕の一方が係合し、かつ該駆動カムの駆動力により、所定方向に付勢する付勢手段の付勢力に抗して錠箱のフロント側又は後壁側のいずれかにスライドする摺動制御体と、この摺動制御体の先端部にその内端部が連結手段或いは係合手段のいずれかを介して連結されていると共に、垂直軸を介して軸支されかつその先端部側に前記フロントから常に突出する係合先端部を有するスイング式押圧体をそれぞれ組み込み、
開扉時、前記操作手段の操作力によって作動する前記駆動カムの前記係合腕の他方の押圧力によって前記ラッチボルトが後退動し始め、該ラッチボルトの係合先端部が扉枠側のラッチ受け穴から外れた時、前記係合腕の一方が前記摺動制御体を押圧し、前記操作手段のさらなる回転により、該摺動制御体が移動すると、前記スイング式押圧体の係合先端部が扉枠側の当接部に圧接し、該圧接力に基づく反力は扉自体を開く方向へ作用するラッチ錠における内外気圧差解消装置。
【請求項２】
反転ラッチ及び該反転ラッチ用のロッキングピースを備えたラッチ錠の錠箱に、操作手段の操作力によって回転すると共に、筒状部分から突出する二つの係合部を有する一つの駆動カムと、該駆動カムの前記係合部の一方が係合し、かつ該駆動カムの駆動力により、所定方向に付勢する付勢手段の付勢力に抗して錠箱のフロント側又は後壁側のいずれかにスライドする摺動制御体と、この摺動制御体の先端部にその内端部が連結手段を介して連結されていると共に、垂直軸を介して軸支されかつその先端部側に前記フロントから常に突出する係合先端部を有するスイング式押圧体をそれぞれ組み込み、
開扉時、前記操作手段の操作力によって作動する前記駆動カムの前記係合部の他方の押圧力によって前記ロッキングピースが所要量回転して前記反転ラッチに対する仮施錠を解き、その後の前記操作手段のさらなる回転により、前記係合部の一方が前記摺動制御体を押圧すると、前記スイング式押圧体の係合先端部が扉枠側の当接部に圧接し、該圧接力に基づく反力は扉自体を開く方向へ作用するラッチ錠における内外気圧差解消装置。
【請求項３】
ラッチボルトを備えたラッチ錠の錠箱に、操作手段の操作力によって回転すると共に、筒状部分から突出する係合腕とピニオン部分を有する一つの駆動カムと、その後端部のラックが該駆動カムの前記ピニオン部分と噛合し、かつ該駆動カムの駆動力により、所定方向に付勢する付勢手段の付勢力に抗して錠箱のフロント側にスライドする摺動制御体と、この摺動制御体の先端部にその内端部が連結手段を介して連結されていると共に、垂直軸を介して軸支されかつその先端部側に前記フロントから常に突出する係合先端部を有するスイング式押圧体をそれぞれ組み込み、
開扉時、前記操作手段の操作力によって作動する前記駆動カムの前記係合腕の押圧力によって前記ラッチボルトが後退動し始め、該ラッチボルトの係合先端部が扉枠側のラッチ受け穴から外れた時、前記操作手段のさらなる回転により、前記摺動制御体により前記スイング式押圧体の係合先端部が扉枠側の当接部に圧接し、該圧接力に基づく反力は扉自体を開く方向へ作用するラッチ錠における内外気圧差解消装置。
【発明の詳細な説明】
【技術分野】
【０００１】
本発明は、ラッチ錠における内外気圧差解消装置に関する。
【背景技術】
【０００２】
特許文献１はラッチ錠における内外気圧差解消装置に関するもので、例えば図７と共に、その段落００３７には、「こじ開けラッチ４４が進出され、こじ開けラッチ４４の傾斜面１０３が反力部材３９の角部１０９に摺接すると、こじ開けラッチ４４の傾斜面１０３が反力部材３９の角部１０９から扉７を開方向へこじる反力を受け、この反力が扉７を開放する方向（扉開動方向）の助勢力となる。つまり、ラッチボルト６５と同方向の移動動作から開動助勢力が分力として得られるようになる。このため、簡素かつ少ないスペースで、しかも、外部へ表出させることなく助勢力の発生機構が構成されている事項」が記載されている（符号は特許文献１のもの）。
【０００３】
また、特許文献２も、ラッチ錠における内外気圧差解消装置に関するものである。この特許文献２に記載の内外気圧差解消装置も、特許文献１と同様に「ラッチ形態の突出杆」がラッチボルト或いはデッドボルトと同一方向へ直進して、いわば「扉をこじ開けるようにして」、扉自体に開放方向の反力の一部（分力）を与えようとするものである。
【０００４】
ところで、特許文献３には、ラッチ錠を構成するラッチ部材の一例として「ラッチボルト」を用いたものが記載されている。このラッチ錠のラッチボルトは、操作部材の操作力により回転する駆動カム（リトラクタ）の駆動腕により、ラッチバネのバネ力に抗して錠箱内に後退可能である（周知乃至自明事項）。
【０００５】
また、特許文献４乃至特許文献６には、ラッチ錠を構成するラッチ部材の一例として「反転ラッチ」を用いたものが記載されている。これらの各特許文献には、基本的には「反転ラッチ」とプッシュ・プル式の操作部材の枢着基端部に設けられ、かつラッチ錠の錠箱に形成した窓を貫通する「作動突片」との間に、例えば該作動突片の位置変位によって回動する駆動カムと、該駆動カムと協働する連動機構を介して、又は連動機構を介さないで回転する単数又は複数のロッキングピースを介在させ、扉を開く際、前記プッシュ・プル式の操作部材を引く又は押すと、前記作動突片が水平方向又は垂直方向へ移動し、これにより前記駆動カムがラッチの仮施錠状態を解く方向へ所定量回転し、前記操作部材を把持した状態で扉を開くことができる（周知乃至自明事項）。
【先行技術文献】
【特許文献】
【０００６】
【特許文献１】特開２００５−１２７０４４
【特許文献２】特許第４０３４２１６号
【特許文献３】特開平９−１５１６５３号
【特許文献４】特開２００１−２２７２１０号（特に、図４）
【特許文献５】特開２００８−５０８６４号（特に、図１）
【特許文献６】特開２００８−２８０７５２号
【発明の概要】
【発明が解決しようとする課題】
【０００７】
本願発明の所期の目的は、出願人が提案した特許文献１や特許文献２のように「扉をこじ開けるようにして」、扉自体に開放方向に分力を与えようとするものではなく、テコの原理を利用して（異なる解決手段により）、扉を開け難いという問題点を解消するために、開扉時における扉の引き離し機構（特に、ラッチ錠用の内外気圧差解消装置）を提供することである。第２の目的は、扉枠側の当接部に対するスイング式押圧体の圧接力を扉に対して十分に発揮させることである。第３の目的は、極力構成する部品を少なくし、錠箱内に簡単に組み込むことができることである。第４の目的は、摺動制御体とこれに追動あるいは協働するスイング式押圧体がバラバラに成らず、確実に作動することである。
【課題を解決するための手段】
【０００８】
本願発明のラッチ錠における内外気圧差解消装置は、ラッチボルトを備えたラッチ錠の錠箱に、操作手段の操作力によって回転すると共に、筒状部分から突出する二つの係合腕を有する一つの駆動カムと、該駆動カムの前記係合腕の一方が係合し、かつ該駆動カムの駆動力により、所定方向に付勢する付勢手段の付勢力に抗して錠箱のフロント側又は後壁側のいずれかにスライドする摺動制御体と、この摺動制御体の先端部にその内端部が連結手段或いは係合手段のいずれかを介して連結されていると共に、垂直軸を介して軸支されかつその先端部側に前記フロントから常に突出する係合先端部を有するスイング式押圧体をそれぞれ組み込み、開扉時、前記操作手段の操作力によって作動する前記駆動カムの前記係合腕の他方の押圧力によって前記ラッチボルトが後退動し始め、該ラッチボルトの係合先端部が扉枠側のラッチ受け穴から外れた時、前記係合腕の一方が前記摺動制御体を押圧し、前記操作手段のさらなる回転により、該摺動制御体が移動すると、前記スイング式押圧体の係合先端部が扉枠側の当接部に圧接し、該圧接力に基づく反力は扉自体を開く方向へ作用することを特徴とする。
【０００９】
また本願発明のラッチ錠における内外気圧差解消装置は、反転ラッチ及び該反転ラッチ用のロッキングピースを備えたラッチ錠の錠箱に、操作手段の操作力によって回転すると共に、筒状部分から突出する二つの係合部を有する一つの駆動カムと、該駆動カムの前記係合部の一方が係合し、かつ該駆動カムの駆動力により、所定方向に付勢する付勢手段の付勢力に抗して錠箱のフロント側又は後壁側のいずれかにスライドする摺動制御体と、この摺動制御体の先端部にその内端部が連結手段を介して連結されていると共に、垂直軸を介して軸支されかつその先端部側に前記フロントから常に突出する係合先端部を有するスイング式押圧体をそれぞれ組み込み、開扉時、前記操作手段の操作力によって作動する前記駆動カムの前記係合部の他方の押圧力によって前記ロッキングピースが所要量回転して前記反転ラッチに対する仮施錠を解き、その後の前記操作手段のさらなる回転により、前記係合部の一方が前記摺動制御体を押圧すると、前記スイング式押圧体の係合先端部が扉枠側の当接部に圧接し、該圧接力に基づく反力は扉自体を開く方向へ作用することを特徴とする。
【００１０】
さらに、本願発明のラッチ錠における内外気圧差解消装置は、ラッチボルトを備えたラッチ錠の錠箱に、操作手段の操作力によって回転すると共に、筒状部分から突出する係合腕とピニオン部分を有する一つの駆動カムと、その後端部のラックが該駆動カムの前記ピニオン部分と噛合し、かつ該駆動カムの駆動力により、所定方向に付勢する付勢手段の付勢力に抗して錠箱のフロント側にスライドする摺動制御体と、この摺動制御体の先端部にその内端部が連結手段を介して連結されていると共に、垂直軸を介して軸支されかつその先端部側に前記フロントから常に突出する係合先端部を有するスイング式押圧体をそれぞれ組み込み、開扉時、前記操作手段の操作力によって作動する前記駆動カムの前記係合腕の押圧力によって前記ラッチボルトが後退動し始め、該ラッチボルトの係合先端部が扉枠側のラッチ受け穴から外れた時、前記操作手段のさらなる回転により、前記摺動制御体により前記スイング式押圧体の係合先端部が扉枠側の当接部に圧接し、該圧接力に基づく反力は扉自体を開く方向へ作用することを特徴とする。なお、ここでの「摺動制御体」は、作用時、スイング式押圧体に対して押す機能、又は引く機能のいずれかを有する。
【発明の効果】
【００１１】
（ａ）出願人が提案した特許文献１や特許文献２とは異なる解決手段により、扉の扉開閉端と扉枠との間に隙間を生じさせ、室内外の気圧差を解消させることができる。
（ｂ）スイング式押圧体の係合先端部の圧接力は、特許文献１等のような「直進方向に対する分力」とは成らず、略全て扉を開く方向に作用する反力と成るので、扉枠側の当接部に対するスイング式押圧体の圧接力を十分に発揮することができる。
（ｃ）構成する部品が少ないので、錠箱内に簡単に組み込むことができる。また、摺動制御体とこれに追動あるいは協働するスイング式押圧体がバラバラに成らず、確実に作動する。
【図面の簡単な説明】
【００１２】
図１乃至図１３は本発明の第１実施形態を示す各説明図。図１４は本発明の第２実施形態を示す説明図。図１５乃至図１７は本発明の第３実施形態を示す各説明図。図１８乃至図２２は、その余の実施形態を示す各説明図。
【図１】戸枠側の部材と扉側の部材を示す環境説明図。
【図２】錠箱を縦断面視した環境説明図（自明事項は省略）。
【図３】主要部の位置関係を示す平面視からの環境説明図。
【図４】主要部の側面視からの説明図。
【図５】主要部の平面視からの説明図。
【図６】主要部を構成するスイング式押圧体、摺動制御体等の分解斜視図。
【図７】図６のＡ−Ａ線とＢ−Ｂ線断面図。
【図８】要部（扉枠側）の概略断面説明図。
【図９】図８の正面視からの概略説明図。
【図１０】図８の１０−１０線断面図。
【図１１】ラッチ部材の後退動の説明図（ラッチ部材が所要位置まで後退）。
【図１２】図１１の状態に於いて、スイング式押圧体等の作用の説明図。
【図１３】平面視からの要部の流れを示す説明図。
【図１４】本発明の第２実施形態を示す説明図。
【図１５】第３実施形態の主要部の位置関係を示す平面視からの環境説明図。
【図１６】平面視からの要部の作用を示す説明図。
【図１７】平面視からの要部の流れを示す説明図。
【図１８】本発明の第４実施形態を示す説明図。
【図１９】本発明の第５実施形態を示す説明図。
【図２０】本発明の第６実施形態を示す説明図。
【図２１】第６実施形態の作用を示す説明図。
【図２２】本発明の第７実施形態を示す説明図。
【発明を実施するための最良の形態】
【００１３】
図１乃至図１３は、本発明の第１実施形態を示す各説明図である。
【００１４】
（１）環境部材／本発明の前提要件
図１乃至図３を参照にして環境部材を説明する。なお、当業者にとって、デッドボルトの出没機構やラッチ部材に対する仮施錠用の係脱機構などの自明事項は省略し、本発明の主要部に絞って説明する。
【００１５】
まず、図１は戸枠側の部材と扉側の部材を示す環境説明図で、特に、扉の外壁面と錠箱のフロントが見える斜視図である。この図に於いて、１は玄関扉用の扉枠で、この扉枠１の縦枠には錠受け２が縦方向に固定されている。錠受け２には、上方から順番にデッド受け穴３、ラッチ受け穴４、スイング式押圧体用の切欠部分５がそれぞれ形成されている。また扉枠１の縦枠には、戸当り６、前記錠受け２を取付けるための切欠状の凹所がそれぞれ形成されている（後述）。本発明の本質的事項ではないが、実施形態如何によって、前記戸当り６には、戸当り６と扉７との隙間をシールするパッキン（ガスケット）が適宜に設けられている。
【００１６】
したがって、扉７が室外の方向に開動する開閉体であれば、室内側が負圧となることで、扉７の開閉端部７ａの内側（図１では向こう側の内壁面）は、パッキンを介して又は介さないで戸当り６に押付けられる。
【００１７】
一方、扉７の吊元と反対側の開閉端部７ａには、ラッチ錠Ｘの錠箱８が内装されている。ここで「ラッチ錠」とは、ラッチボルトや反転ラッチと称されるラッチ部材を有する錠前のことで、デッドボルトのみを有する本締り錠を除く。したがって、ラッチボルトのみを有する空錠、ラッチボルト又は反転ラッチのいずれかを有すると共に、デッドボルトを持つ錠前（例えば玄関錠）は、ここでのラッチ錠Ｘに含まれる。
【００１８】
図１で示すように、このラッチ錠Ｘの錠箱８の外壁面側（つまり扉７の室外側の面）には、外側操作部材の一例としてのレバーハンドル９が設けられている。また、扉７の室外側に鍵孔が表れるシリンダ錠１０が設けられる。一方、扉７の室内側に内側操作部材の一例としてのレバーハンドル１１が設けられている。また、シリンダ錠１０の軸線上に位置するようにサムターン装置１２が設けられている。
【００１９】
そして、１３は例えば外側操作部材９の操作力によって後退動するラッチ部材（本実施例では、ラッチボルト）、１４は例えばシリンダ錠１０の鍵孔に差し込まれた合鍵の操作力によって後退動するデッドボルトである。なお、符号１５は錠受け２に直交する扉枠１の縦枠の前面に固定される縦長状補強片で、この補強片１５は縦枠に切欠凹所を形成するので、それを補強するためのものである。補強片１５は発明の本質的事項ではない。
【００２０】
上記構成に於いて、扉７が室外の方向に開動する開閉体であれば、室内側が負圧となることで、扉７の開閉端部７ａの内側（図１では向こう側の内壁面）は、戸当り６に押付けられる。したがって、扉７を開け難いという問題点があり、それを解決するために「内外気圧差解消装置」が加味されている。
【００２１】
（２）本発明の主要部
本発明の内外気圧差解消装置は、前述したラッチ錠Ｘを前提とする。したがって、基本的には、操作手段の具体的態様、入力側の駆動手段（駆動カム）の具体的態様、錠前のラッチ機構の具体的態様を問わず、錠箱乃至扉側に、操作手段と、駆動カムと、摺動制御体と、単数又は複数の付勢手段と、テコの原理を応用したスイング式押圧体が設けられ、一方、扉枠側に前記スイング式押圧体の先端部（係合先端部）が圧接する当接部が存在すれば良い。
【００２２】
すなわち、例えば図２で示すように、本発明の内外気圧差解消装置は、ラッチ錠Ｘの錠箱８に、操作手段９、１１の操作力によって回転する駆動カム２１と、その後端部が該駆動カム２１の駆動腕２１ａと係合し、かつ該駆動腕２１ａの駆動力により錠箱８のフロント８ａ側へ付勢手段２３の付勢力に抗してスライドする摺動制御体２４と、この摺動制御体２４の先端部にその内端部が連結手段２５を介して連結されている共に、例えば角部に相当する中央部が前記錠箱８の扉の内壁面側の一側壁に垂直軸２６を介して軸支され、かつ、先端部側に前記フロント８ａから常に突出する係合先端部を有するスイング式押圧体２７を、それぞれ組み込み、開扉時、前記操作手段９、１１の操作力によって作動する前記駆動カム２１及び摺動制御体２４を介して前記スイング式押圧体２７が扉枠側の当接部２８に圧接すると、該圧接力は扉自体７を開く方向へ全て作用する。
【００２３】
（３）各部材の具体的構成
例えば図２や図４を参照にして、発明の特定要件に関する各部材の具体的構成を説明する。まず、ラッチ部材１３の一例としてのラッチボルトの構成を説明する。ラッチ部材１３は、例えば外側操作部材９の握り部が水平状態の場合には、その後端部と錠箱８の後壁との間に存在するラッチバネ１７のバネ力により、係合先端部１３ａがフロント８ａから突出する。突出状態の係合先端部１３ａは、図２で示す手前側にラッチ受け穴４に係止される係止面を有し、該係止面の反対側（図２で示す向こう側）に摺接傾斜面を有する。
【００２４】
また、係合先端部１３ａの後端面には棒状のラッチ杆１３ｂが一体的に設けられ、さらに、ラッチ杆１３ｂの後端部には所定長の係合後端部１３ｃが連設する。係合後端部１３ｃは、ラッチバネ１７を支持する端部に略垂直の受け面と、該受け面の下端から後方へ傾斜する逃がし用の下方傾斜面を有する左向台形形状の受け部１８を有する（公知事項）。
【００２５】
次に、駆動カム２１を説明する。駆動カム２１は、内外の操作部材の軸部を連結する角軸１９が貫通する不番の筒状部分と、この筒状部分から半径外方向に延在する長い駆動腕２１ａと、この駆動腕とは略反対方向に延在する短い駆動腕２１ｂとを有し、前記短い駆動腕２１ｂは、その先端面が緩やかな谷形状乃至弧状に切欠され、その後端部側の縁部で前述した台形形状の受け部１８を押し込んだ後に於いても、前記縁部が受け部１８の逃がし用の下方傾斜面の下方へと位置変位することができる（公知事項）。
【００２６】
一方、前記長い駆動腕２１ａは、駆動カム２１が操作手段９、１１の操作力によって回転し、その結果、前述した係合先端部１３ａがラッチ受け穴４から外れる寸前乃至外れた瞬間（操作者はその瞬間扉を開けようとするが）、その指先状先端部分で摺動制御体２４の後端を付勢手段２３のバネ力に抗して押し出すことが可能である（図２の仮想線参照）。
【００２７】
次に、例えば図６や図７を参照にして、摺動制御体２４を説明する。摺動制御体２４は、ラッチ部材１３と同一方向に進退するように錠箱８内の下方空間に配設されている。本実施例の摺動制御体２４は、図６で示すように、全体として「ピストル形態」の印象を受けるブロック体であるが、その左右の垂直側面の中央部には、錠箱８側の被案内部分（例えば水平溝、水平切欠など）と係合する案内部分（例えば水平突起、複数の突起、突片等）２４ａが設けられている。これにより、摺動制御体２４は安定した状態で進退動する。また、摺動制御体２４は、その上壁は水平面となっているが、下壁は後壁に至る方向に適宜段差状に切欠され、その後端部に相当する切欠面には付勢手段２３の後端部を支持するバネ端支持突起２４ｂが設けられている。さらに、その前壁の中央部には連結突片２４ｃが設けられ、該連結突片２４ｃには、連結手段（連結軸）３１が貫通する非真円の連結孔３２が形成されている。
【００２８】
次に、スイング式押圧体２７を説明する。スイング式押圧体２７は、摺動制御体２４の進退動に追動あるいは共働して水平方向へ所定量回転することができるように垂直軸２６及び上下の軸受け部材３３、３３を介して錠箱８内のフロント８ａ付近に軸支されている。
【００２９】
このスイング式押圧体２７も前記摺動制御体２４と同様にブロック体であるが、幅広後端部（内端部）２７ａは摺動制御体２４の連結突片２４ｃを挟むことができる連結部分２７ａと成っていると共に、錠箱の扉の内壁面側の角部の上下壁には、垂直軸（本実施例では上下の垂直突起）２６、２６を有している。
【００３０】
すなわち、本実施例では、前述したようにスイング式押圧体２７の幅広後端部２７ａは、摺動制御体２４の先端部に連結軸３１を介して連結されることから、前記内端部に扉７を開放する室外側乃至摺動制御体２４側を指向する所要幅の切欠凹所３５を形成し、この切欠凹所３５に摺動制御体２４の連結突片２４ｃが嵌入した上で、前記内端部に形成した上下の連結孔３６，３６と前記連結突片２４ｃの連結孔３２に連結軸３１を差し込んで、両者２４、２７を一体的に連結している。連結突片２４ｃの連結孔３２は非真円であることから、該非真円の連結孔３２に連結軸３１に遊嵌合している。
【００３１】
ここで、図６の斜視図及び図７の横断面を参照にすると、幅広後端部２７ａに所要幅の切欠凹所３５を形成することによって、該切欠凹所３５は、連結孔３６を有する上下の水平支持面と、この水平支持面と交差する複数の垂直面３８ａ、３８ｂを有し、前記垂直面３８ａ、３８ｂは、一応、人差し指状の先端部２７ｂ側の垂直面３８ａと、垂直軸３７側の垂直面３８ｂとに区分けすることができる。
【００３２】
さらに、スイング式押圧体２７は、例えば図３で示すように、錠箱８内に垂直軸２６、２６を介して軸支されると、操作部材を操作しない常態では、角部を形成する後側の縁辺ａと、これに直交する扉枠側の当接部と対向する側の縁辺ｂは、錠箱８の幅広側壁の内壁面に対して略均等角度（例えば４５度づつ）にそれぞれ交差している。また前記後側の縁辺ａと交差する室外側の縁辺ｃは弧状乃至錠箱８の幅広側壁の内壁面に当接する垂直線と成り、さらに、前記扉枠側の当接部と対向する側の縁辺ｂと前記室外側の縁辺ｃは、先端部付近に至るにしたがって次第に幅が狭くなっている。そして、前述した人差し指状の先端部２７ｂは、錠箱８のフロント８ａから常に食み出している。
【００３３】
なお、前述した下の軸受け部材３３は、スイング式押圧体２７用の軸受け機能の他、連結突片２４ｃと対向する不番のバネ端支持部を有し、付勢手段２３の先端部を支持する機能も有する。
【００３４】
（４）扉枠側の当接部
図８は、要部（扉枠側）の概略断面説明図、図９は正面視からの概略説明図、図１０は断面図である。これらの図を参照にして扉枠１側の当接部２８を説明する。本実施例では、当接部２８は、図１で示すように、デッド受け穴３及びラッチ受け穴４を有する「いわゆる１枚のストライク板」の裏側（例えばトロヨケ）に配設されているが、もちろん、設計如何によっては、周知のストライク板等と、当接部２８を有する内外気圧差解消装置の受け具とは別体に成形されたものであっても良い。
【００３５】
さて、この当接部２８は、基本的には、錠受け２内に固定された支持ブラケット４１と、これに軸支された垂直ローラ４２とから成る。支持ブラケット４１は、扉枠１に形成された切欠状の凹所４３に固設され、この凹所４３底面に対して、錠箱８のフロント８ａ（扉７の木口）に向かって延出するように構成される。垂直ローラ４２はローラ垂直軸４４を介して支持ブラケット４１の先端に設けられている。前記支持ブラケット４１が固設される凹所４３は、錠受け２又は錠受け２とは別体の受け具の内部空間よりも深く、錠箱８のフロント８ａより離間した位置を底面とする形状に構成されるとともに、扉７の開放方向側が開口した形状とされ、建物の扉枠１としては、室外側に向かう段部のように形成される。
【００３６】
ところで、支持ブラケット４１に支持された垂直ローラ４２の位置は、例えば図３で示すように、フロント８ａ或いは摺動制御体２４の中心線「Ｏ」上ではなく、室内側、具体的には、スイング式押圧体２７の垂直軸２６側にやや偏芯する位置とされている。これに対して、前記スイング式押圧体２７の連結軸３１は、前記中心線「Ｏ」よりも外側にやや偏芯する位置とされている。
【００３７】
したがって、常態では、中心線「Ｏ」を挟んで、垂直ローラ４２とスイング式押圧体２７の前述した当接部と対向する側の縁辺ｂを有する垂直面側は所要間隔を有して対向している。
【００３８】
（５）主要部の作用
図１１乃至図１３は、主要部の作用を示す各説明図である。図２では、ダルマ２０及びデッドボルト１４を仮想線で概略的に示したが、前記デッドボルト１４は、周知のように、シリンダ錠１０が施錠状態の場合には、錠箱８のフロント８ａから突出する。また、操作部材の操作力により、ラッチボルト１３が前記フロント８ａから突出すると、図示しないラッチ規制手段（例えばラッチボルト１３をロックする仮施錠機構）により、該ラッチボルト１３は、その後退が阻止される。開扉時、普通一般に、操作手段を操作すると、前記仮施錠機構を構成するラッチ規制板やラッチ用のロックレバーが作動してラッチボルト１３の規制が解除される。
【００３９】
そこで、今仮に、図２で示す仮施錠状態から外側操作部材９を押し下げ、駆動カム２１が時計方向へ回転すると、図１１で示すように、駆動カム２１の短い駆動腕２１ｂの縁部がラッチボルト１３の後端部の係合部１８を押し付けるので、ラッチボルト１３は駆動カム２１の駆動力により、矢印で示すように錠箱８の後壁側へ後退する。そして、前記短い駆動腕２１ｂの縁部が前記係合部１８の下方に潜り込む寸前の所で、駆動カム２１の長い駆動腕２１ａの先端部分の前面が摺動制御体２４の後端面に当接する。
【００４０】
次いで、外側操作部材９の操作力により前記駆動カム２１がさらに時計方向に回転し続けると、図１２及び図１３で示すように、スイング式押圧体２７は、その幅広後端部が中心線「Ｏ」よりも外側（室外）にやや偏芯する位置で摺動制御体２４の先端部で押されることになるから、上下の垂直軸２６、２６を支点に、その指先状の突出先端部２７ａが支持ブラケット４１の垂直ローラ４２に接近する方向へ水平回転し、かつ、該垂直ローラ４２にテコの原理で圧接する。そして、該圧接力に基づく反力は全て扉自体を開く方向へ作用する。これにより、扉７の扉開閉端７ａと扉枠１との間に隙間が生じ、室内外の通気が行われて室内側の負圧がなくなり、室内が負圧となって開動に大きな力が必要となった扉７であっても、容易な開動が可能となる。
【実施例】
【００４１】
この欄では、本発明の他の実施形態を説明する（同一の構成部分には同一・同様の符号を付して重複する説明を割愛する）。第１実施形態に於いて、垂直軸２６はスイング式押圧体２７の角部に相当する中央部に設けられているが、角部に垂直軸２６を設けることや該垂直軸２６を可動軸にすること設計変更事項である。付言すると、垂直軸２６を角部からやや離れた位置に設け、或いは上下の軸受け部材３３、３３の各軸孔を長孔、楕円等に形状して垂直軸２６が多少位置変位するように、いわゆる権利範囲を回避するような設計変更をしたとしても、本発明の効果を得ることができる限り、これらの設計変更例は、本発明と実質的に同一である。
【００４２】
また、第１の実施形態は、特許文献３と同様に、ラッチ錠を構成するラッチ部材１３の一例として「ラッチボルト」を用いたものである。これに対して、図１４は、ラッチ錠を構成するラッチ部材の一例として「反転ラッチ１３Ａ」を用いたものである（第２実施形態）。この反転ラッチ１３Ａと図示しない公知のプッシュ・プル式の操作部材とを組み合わせたラッチ錠Ｘ１の具体的構成は、特許文献４乃至特許文献６に見られるように、既に周知乃至自明事項なので、その詳細は割愛する。
【００４３】
図１４に於いて、５１、５１は錠箱８Ａの側壁の上下に形成した窓、５２、５２はプッシュ・プル式の操作部材の枢着基端部に設けられ、かつ前記窓を貫通する上下の作動突片で、これらの上下の作動突片５２、５２は、駆動カム２１Ａの中心軸５３を基準にして点対象の上下の位置に存在し、水平方向に移動可能である。２１ａは摺動制御体２４の後端面を押し付ける駆動腕である。そして、５４は駆動カム２１Ａに連動するように組み合わせられた上下一対のロッキングピースである。
【００４４】
この図１４の例示からも明らかなように、操作手段の具体的態様、入力側の駆動手段（駆動カム）の具体的態様、錠前のラッチ機構の具体的態様を問わず、錠箱乃至扉側に、レバー式、プッシュ・プル式等の操作手段（１９、１１）と、該操作手段の操作力によって所定方向へ回転する駆動カム（２１、２１Ａ）と、単数又は複数の付勢手段（２３）と、摺動制御体（２４）と、テコの原理を応用したスイング式押圧体（２７）が設けられ、一方、扉枠１側に前記スイング式押圧体の先端部（係合先端部）が圧接する当接部（２８）が存在すれば良い。なお、当接部（２８）の垂直ローラをスイング式押圧体の突出先端部に設け、一方、前記当接部を非回転式の受け面に設計変更する事項は、均等の範囲内である。
【００４５】
次に、図１５乃至図１７は第３実施形態を示す各説明図である。これらの図に於いて、第１実施形態と異なる点は摺動制御体２４Ａとスイング式押圧体２７Ａの組み合わせ構成である。第１実施形態では、摺動制御体２４の先端部に連結突片２４ｃが形成され、該連結突片２４ｃがスイング式押圧体２７の後端部に形成した切欠凹所３５に差し込まれた状態で連結手段３１を介して一体的に連結されているが、第３実施形態では、必ずしも「連結手段３１」を用いなくても良い旨を示している。
【００４６】
すなわち、第３実施形態では、摺動制御体２４Ａの先端部を「押圧先端部（係合先端部）２４ｃ」とし、一方、スイング式押圧体２７の後端部に形成した切欠凹所３５を「被係合部（押圧先端部に押される部位）」としている。なお、この第３実施形態では、望ましくは、スイング式押圧体２７Ａは垂直軸２６に巻装された復帰バネ２９により初期位置へ戻るように付勢されている。このように構成しても本発明の目的・効果を得ることができる。
【００４７】
次に、図１８は本発明の第４実施形態を示す説明図である。この第４実施形態が第１実施形態（図２、図４）と主に異なる点は、駆動カム２１Ｂと摺動制御体２４Ｂとの係合である。すなわち、２１Ｂは第１実施形態の長い駆動腕（係合腕）に相当するピニオン部分で、該ピニオン部分２１ａは、駆動カム２１Ｂの外周部の一部に設けられている。一方、２４ｄは摺動制御体２４Ｂの中央部乃至後端部の上面に突設され、前記ピニオン部分２１ａと係合（噛合）するラックである。
【００４８】
この様に、駆動カム２１Ｂと摺動制御体２４Ｂとの係合を、ピニオンとラックに置換しても、第１実施形態と同一の目的を達成することができる。したがって、特に図示しないが、係合構造をクランクとレバーの組合せにしても、同様の目的を達成することができる。
【００４９】
次に、図１９は本発明の第５実施形態を示す説明図である。この第５実施形態が第１実施形態と主に異なる点は、図１４の第２実施形態と同様に、（ａ）ラッチ錠を構成するラッチ部材の一例として「反転ラッチ１３Ａ」を用いた点、（ｂ）例えば実公平３−６７７３号記載のラッチ錠と同様の構成を、本発明の主要部に加味した点である。
【００５０】
なお、実公平３−６７７３号に記載のラッチ錠の構成は、反転ラッチ用のロッキングピースの垂直部分が、互いに逆方向へ水平移動する作動板のいずれかに押されても、一対の前記ロッキングピースが同時に対称的に反転するものであるが、該仮施錠機構は周知事項であると共に、ラッチ部材１３Ａ用の仮施錠機構は本発明の限定要件ではないので、ここでは詳細な説明を割愛する。
【００５１】
しかしながら、ラッチ部材１３Ａが反転ラッチの場合には、ラッチ錠は、望ましくは、プッシュ・プル式の操作部材を操作して前記反転ラッチ用のロッキングピース５４の仮施錠を解きながら、扉の引き離し機構（ラッチ錠用の内外気圧差解消装置）を作動させるので、念のために反転ラッチ用の仮施錠機構を簡単に説明する。
【００５２】
しかして、符号５１は錠箱８Ａの側壁の上部に形成した窓である。５２、５２はプッシュ・プル式の操作部材の枢着基端部に設けられ、かつ前記窓５１を貫通する上下の作動突片で、これらの上下の作動突片５２、５２は、仮施錠機構を構成する駆動カム２１Ａの中心軸５３を基準にして、駆動カム２１Ａの上方係合腕の方に存在し、プッシュ・プル式の操作部材の操作に対応して互いに異なる方向に移動可能である。また２１ａは摺動制御体２４の後端面を押し付ける駆動カム２１Ａの駆動腕である。５４は駆動カム２１Ａに連動する上下一対のロッキングピースである（図１４と同様）。
【００５３】
図２０及び図２１は、本発明の第６実施形態を示す各説明図である。この第６実施形態が第１実施形態（図２、図４）と主に異なる点は、次の通りである。
（ａ）ラッチ錠用の内外気圧差解消装置、すなわち、開扉時における扉の引き離し機構は、ラッチ部材１３よりも上方に配設されている点。
（ｂ）内外気圧差解消装置を構成する摺動制御体２４Ｂは、バネ受け後端部２４ｅが、やや下方に突出状に延在し、駆動カム２１Ｂの駆動腕２１ａを受ける係合受け部の機能を有する点。
（ｃ）前記摺動制御体２４Ｂを所定方向に付勢する付勢手段２３Ｂが、摺動制御体２４Ｂのバネ受け後端部２４ｅと錠箱８Ｂの後壁８ｂの間に設けられている点。付言すると、付勢手段２３Ｂは、摺動制御体２４Ｂ及びスイング式押圧体２７Ｂを、錠箱８Ｂのフロント８ａから突出方向へと付勢している点。
（ｄ）初期位置に於いて、スイング式押圧体２７Ｂの係合先端部２７ｂの突出量が大きい点。
（ｅ）図２１と図１３の作用を比較すると明らかなように、逆パターン（スイング式押圧体２７Ｂが回転しながら後退する方式）である点。すなわち、開扉時、駆動カム２１Ｂの駆動腕２１ａが摺動制御体２４Ｂのバネ受け後端部２４ｅに当り、摺動制御体２４Ｂが駆動カム２１Ｂのさらなる回転により、付勢手段２３Ｂのバネ力に抗して錠箱８Ｂの後壁８ｂ側に後退すると、該摺動制御体２４Ｂはスイング式押圧体２７Ｂを引っ張ることになり、その結果、スイング式押圧体２７Ｂは垂直軸２６を支点にして矢印Ａ方向へと回転して、その係合先端部２７ｂが当接部２８に衝突する。
【００５４】
最後に、図２２は本発明の第７実施形態を示す説明図である。この第７実施形態は、図１４の第２実施形態の付勢手段２３の付勢方向を逆にしたパターン（スイング式押圧体２７Ｃが回転しながら後退する方式）である。つまり、第６実施形態の逆パターンを図１４の第２実施形態に応用したものである。
【００５５】
したがって、摺動制御体２４Ｃ用付勢手段２３Ｃは、第６実施形態と同様に摺動制御体２４Ｃのバネ受け後端部２４ｅと錠箱８Ｃの後壁８ｂの間に設けられている点、付勢手段２３Ｃは、摺動制御体２４Ｃ及びスイング式押圧体２７Ｃを、錠箱８Ｃのフロント８ａから突出方向へと付勢している点、及び内外気圧差解消装置の作用は第６実施形態と全く同じである（図１３の説明を援用する）。
【００５６】
以上の様に構成しても、第１実施形態と同様に、スイング式押圧体の係合先端部の圧接力は、特許文献１等のような「直進方向に対する分力」とは成らず、略全て扉を開く方向に作用する反力と成るので、扉枠側の当接部に対するスイング式押圧体の圧接力を十分に発揮することができる。
【産業上の利用可能性】
【００５７】
本発明は錠前及び建具の分野で利用される。
【符号の説明】
【００５８】
１…扉枠、２…錠受け、Ｘ、Ｘ１…ラッチ錠、３…デッド受け穴、４…ラッチ受け穴、５…切欠部分、６…戸当り、７…扉、７ａ…開閉端部、８、８Ａ、８Ｂ、８Ｃ…錠箱、８ａ…フロント、９…外側操作部材、１０…シリンダ錠、１１…内側操作部材、１２…サムターン装置、１３、１３Ａ…ラッチ部材、１３ａ…係合先端部、１４…デッドボルト、１５…補強片、１７…ラッチバネ、１８…受け部、１９…角軸、２１、２１Ａ、２１Ｂ…駆動カム、２１ａ…長い駆動腕・ピニオン部分、２１ｂ…短い駆動腕、２３、２３Ｂ、２３Ｃ…付勢手段、２４、２４Ａ、２４Ｂ、２４Ｃ…摺動制御体、２４ｃ…連結突片、２４ｄ…ラック、２５…連結手段、２６…垂直軸、２７、２７Ａ、２７Ｂ、２７Ｃ…スイング式押圧体、２７ａ…幅広後端部（内端部）、２７ｂ…係合先端部、２８…当接部、２９…復帰バネ、３１…連結軸、３３…軸受け部材、４１…支持ブラケット、４２…垂直ローラ、４３…切欠状凹所、５１…窓、５２…作動突片、５４…ロッキングピース。
【図１】
0005926016.tif 000002
【図２】
0005926016.tif 000003
【図３】
0005926016.tif 000004
【図４】
0005926016.tif 000005
【図５】
0005926016.tif 000006
【図６】
0005926016.tif 000007
【図７】
0005926016.tif 000008
【図８】
0005926016.tif 000009
【図９】
0005926016.tif 000010
【図１０】
0005926016.tif 000011
【図１１】
0005926016.tif 000012
【図１２】
0005926016.tif 000013
【図１３】
0005926016.tif 000014
【図１４】
0005926016.tif 000015
【図１５】
0005926016.tif 000016
【図１６】
0005926016.tif 000017
【図１７】
0005926016.tif 000018
【図１８】
0005926016.tif 000019
【図１９】
0005926016.tif 000020
【図２０】
0005926016.tif 000021
【図２１】
0005926016.tif 000022
【図２２】
0005926016.tif 000023